【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】
引金の引金操作により遊技子を加撃して空中に該遊技子を発射するゲーム機用遊技子発射装置において、
該発射装置の加撃機構は、
引金の引き操作により加撃バネ部材が弾性変形されてバネ力が蓄勢され、
引金の所定限度を越える引き操作により遊技子への加撃が行なわれるように構成され、
該加撃バネ部材の初期バネ変形量を調整する初期バネ変形量調整機構を備えたこと
を特徴とするゲーム機用遊技子発射装置。
【請求項２】
前記加撃機構は、
遊技子を収納する遊技子収納手段内の遊技子を加撃する加撃部材と、
該加撃部材の加撃端を該加撃個所の遊技子に向って弾性的に付撃するバネ部材
と、
前記引金を所定限度迄引いた状態では、
前記バネ部材の弾性復元力に逆い前記加撃部材を後退させ、
前記引金を所定限度以上引いた際に、
前記加撃部材に連動する引金連動機構と引金との連結を断ち、
前記バネ部材のバネ力でもって前記遊技子収納手段内の遊技子に、
前記加撃部材の加撃端を加撃させる引金発動手段でもって構成されたこと
を特徴とする請求項１記載のゲーム機用遊技子発射装置。
【請求項３】
前記引金には、
該引金の引き操作によりバネ力が蓄勢される引金バネ部材と、
該引金バネ部材のバネ力に逆い、
前記引金を引いて、前記引金発動手段が発動する迄は、
前記引金バネ部材のバネ力による引金の戻りを阻止し、
該引金発動手段が発動した際には、
前記引金バネ部材のバネ力により前記引金を引金操作以前の位置に復帰させることができる引金節度手段が設けられたこと
を特徴とする請求項１または請求項２記載のゲーム機用遊技子発射装置。
【請求項４】
前記加撃バネ部材の一端は、
前記引金連動機構に連結されるとともに、
該加撃バネ部材の他端は、
前記初期バネ変形量調整機構の調整出力部に連結され、
該初期バネ変形量調整機構の調整入力部への調整操作により、
前記加撃バネ部材の一端に対する該加撃バネ部材の他端すなわち前記初期バネ変形量調整機構の調整出力部の相対位置が変更されること
を特徴とする請求項２または請求項３記載のゲーム機用遊技子発射装置。
【請求項５】
前記初期バネ変形量調整機構は、
揺動可能なカム構造で構成されたこと
を特徴とする請求項４記載のゲーム機用遊技子発射装置。
【請求項６】
前記カム構造のカム山は、
凹凸に形成されて、
前記加撃バネ部材の一端に対する該加撃バネ部材の他端の相対位置が、
所定間隔毎に段階的に固定されること
を特徴とする請求項５記載のゲーム機用遊技子発射装置。
【請求項７】
前記カム構造には、
工具係合部が形成され、
該工具係合部に係合された工具をいずれか一方へ回転させることによって
前記カム構造はいずれかの方向へ揺動されること
を特徴とする請求項５または請求項６記載のゲーム機用遊技子発射装置。
【請求項８】
前記カム構造のカムには、偏心孔が設けられ、
前記カムが該偏心孔を中心として偏心回転することによって、
前記加撃バネ部材の一端に対する該加撃バネ部材の他端の相対位置が変更されること
を特徴とする請求項６または請求項７記載のゲーム機用遊技子発射装置。
【請求項９】
前記初期バネ変形量調整機構では、
前記加撃バネ部材の一端と前記引金連動機構との連結部分に対し、
前記初期バネ変形量調整機構の調整出力部が接近または離隔することができるようなガイド手段に、
前記調整出力部が摺動可能に取付けられ、
前記ガイド手段に対し前記調整出力部を所定位置に固定する固定手段が設けられたこと
を特徴とする請求項４記載のゲーム機用遊技子発射装置。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項１記載のように発明を構成することにより、遊技子に対する発射加撃力を自由かつ確実に調整することができる。
【手続補正９】
【補正対象書類名】明細書
【補正対象項目名】００１２
【補正方法】変更
【補正の内容】
【００１２】
また、請求項２記載のように発明を構成することにより、実物の拳銃、小銃の引金操作と同様な引金操作感覚をプレーヤに与えることができる。
【手続補正１０】
【補正対象書類名】明細書
【補正対象項目名】００１３
【補正方法】変更
【補正の内容】
【００１３】
さらにまた、請求項３記載のように発明を構成することにより、引金操作に実物の銃と同様な節度感を与えることができる。
【手続補正１１】
【補正対象書類名】明細書
【補正対象項目名】００１４
【補正方法】変更
【補正の内容】
【００１４】
また、請求項４記載のように発明を構成することにより、前記加撃バネ部材の初期バネ変形量を容易にかつ確実に調整することができる。
【手続補正１２】
【補正対象書類名】明細書
【補正対象項目名】００１５
【補正方法】変更
【補正の内容】
【００１５】
さらに、請求項５記載のように発明を構成することにより、前記加撃バネ部材の初期バネ変形量を微妙に調整することができる。
【手続補正１３】
【補正対象書類名】明細書
【補正対象項目名】００１６
【補正方法】変更
【補正の内容】
【００１６】
さらにまた、請求項６記載のように発明を構成することにより、前記加撃バネ部材の初期バネ変形量を所要値に確実に保持させることができる。
【手続補正１４】
【補正対象書類名】明細書
【補正対象項目名】００１７
【補正方法】変更
【補正の内容】
【００１７】
しかも、請求項７記載のように発明を構成することにより、前記ゲーム機用遊技子発射装置に前記カム構造を操作する操作部材を排除して、該発射装置をコンパクトに構成することができる。
【手続補正１５】
【補正対象書類名】明細書
【補正対象項目名】００１８
【補正方法】変更
【補正の内容】
【００１８】
さらに、請求項８記載のように発明を構成することにより、該加撃バネ部材の初期長さを調整することができる。
また、請求項９記載のように発明を構成することにより、前記初期バネ変形量調整機構の調整出力の相対位置を変更する場合に、前記加撃バネ部材の他端の変更位置を前記ガイド手段によって安定して案内し、かつ前記固定手段でその変更位置を確固と保持することができる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００４０
【補正方法】変更
【補正の内容】
【００４０】
また、図５および図６１に図示されるように、銃床31の上部31ａの先端下面の右側（図６１では左側）にブラケット42が一体に装着され、該ブラケット42の鉛直部42ａの枢支孔42ｂを貫通するピン43を介して揺動係止部材44の基部44ｃが揺動自在に枢着され、該揺動係止部材44の先端部44ａの内側面に押え板バネ45が一体に装着され、図５５に図示されるように、該押え板バネ45の当接部45ａは揺動係止部材44の先端部44ａより僅かに当接方向に突出されており、図７に図示されるように、揺動係止部材44がピン43を中心に起立してメダル１がメダル受止め金具39と揺動係止部材44とに挟持される際に、押え板バネ45がメダル１に弾性的に圧接され、後記加撃片48の加撃の際にメダル１が円滑に加撃方向へ移動できるようになっている。